(57)【特許請求の範囲】
【請求項１】
浸水を防止するための堰を形成するウォーターフェンス本体部と、
前記ウォーターフェンス本体部の底面に配置され、前記ウォーターフェンス本体部の設置面への設置性を向上させる設置力増強部材とを備え、
前記ウォーターフェンス本体部は、前記底面と前記設置面との間の水を吸い取る吸水装置を取り付けるための吸水装置取付部を含み、
前記ウォーターフェンス本体部の設置時の自重と、前記吸水装置が吸水することとによって、前記設置力増強部材は、弾性圧縮変形するとともに、外部の水を所定量透過させることにより、前記ウォーターフェンス本体部の設置面内の圧力を低圧安定させるように構成されている、ウォーターフェンス。
【請求項２】
前記設置力増強部材は、前記設置面側に配置された第１設置力増強部材と、前記第１設置力増強部材より硬い材料により形成され、前記ウォーターフェンス本体部側に配置された第２設置力増強部材とが積層状に構成されている、請求項１記載のウォーターフェンス。
【請求項３】
前記吸水装置をポンプとした場合には、
前記設置力増強部材は、前記ウォーターフェンス本体部の自重と、前記ポンプが吸水することにより生じる負圧とにより弾性圧縮変形されることで水の透過率が所定の値となることにより、前記ウォーターフェンス本体部の底面と前記設置面との間に外部からの水を所定量透過させて前記ポンプの自吸水を確保するように構成されている、請求項１または２に記載のウォーターフェンス。
【請求項４】
前記ウォーターフェンス本体部は、複数に分割可能に構成されている、請求項１ないし３のいずれか一項に記載のウォーターフェンス。
【請求項５】
前記ウォーターフェンス本体部は、分割可能な第１本体部および第２本体部をさらに含み、
前記第１本体部の底面部には、凸状または凹状の第１嵌合部が設けられ、
前記第２本体部の底面部には、前記第１本体部の前記第１嵌合部が嵌合する第２嵌合部が設けられている、請求項４に記載のウォーターフェンス。
【請求項６】
前記ウォーターフェンス本体部は、重り部材を取り付け可能な重り取付部をさらに含む、請求項１ないし５のいずれか一項に記載のウォーターフェンス。
【請求項７】
前記設置力増強部材は、半連続気泡構造を有しており、圧縮変形されることにより水の透過率が変化するように構成されている、請求項１ないし６のいずれか一項に記載のウォーターフェンス。
【請求項８】
前記ウォーターフェンス本体部を覆うシートをさらに備え、
前記シートを前記ウォーターフェンス本体部を覆うように設置することにより、前記ウォーターフェンス本体部の背面に回りこむ水をせき止めながら、前記吸水装置により排水を行うことが可能に構成されている、請求項１ないし７のいずれか一項に記載のウォーターフェンス。
【請求項９】
前記ウォーターフェンス本体部を覆うシートをさらに備え、
前記シートを前記ウォーターフェンス本体部の背面側を高く覆うように設置することにより、前記ウォーターフェンス本体部の背面に回りこむ水をせき止めながら、前記吸水装置により排水を行うことが可能に構成されている、請求項１ないし８のいずれか一項に記載のウォーターフェンス。
【請求項１０】
前記ウォーターフェンス本体部は、箱型形状に形成されており、箱型形状の長手方向と直交する方向に延びて箱型形状の内部を仕切る仕切り部をさらに含み、前記仕切り部において切断可能に構成されている、請求項１ないし９のいずれか一項に記載のウォーターフェンス。
【請求項１１】
前記ウォーターフェンス本体部の底面には前記吸水装置取付部に接続された吸水口部が設けられており、
前記吸水口部は、周方向から吸水できるように端面部が凹凸形状を有するように形成されている、請求項１ないし１０のいずれか一項に記載のウォーターフェンス。
【発明の詳細な説明】
【技術分野】
【０００１】
この発明は、ウォーターフェンスに関し、特に、浸水を防止するためのウォーターフェンスに関する。
【背景技術】
【０００２】
従来、浸水を防止するための水嚢（ウォーターフェンス）が知られている（たとえば、特許文献１参照）。
【０００３】
上記特許文献１には、洪水などによって大量の水が流れ出た場合、袋体に水を注水して、流出した水による浸水を防ぐ堰として機能させるための水嚢（ウォーターフェンス）が開示されている。この特許文献１の水嚢は、流出した水によって水嚢が流されないように積載性や、設置性を向上させる為に水嚢の底面に吸盤が複数設けられている。
【先行技術文献】
【特許文献】
【０００４】
【特許文献１】特開２００５−１６３５１４号公報
【発明の概要】
【発明が解決しようとする課題】
【０００５】
しかしながら、上記特許文献１では、注水した袋体からなる水嚢を地面に設置して浸水を防ぐという構造であるため、設置面と水嚢との間に隙間が生じて、浸水してくる水を確実に止めることが困難であるという不都合がある。また、点字ブロックや小石などの凹凸のある地面に水嚢を設置する場合、水嚢本体が傾いて設置されることにより、水嚢と設置面との間に隙間ができて、浸水を防ぐことができないため、平坦な地面にしか設置できないという不都合がある。このため、凹凸のある設置面に対しての設置性や水密性が低下するので、浸水を確実に防ぐことが困難であるという問題点がある。
【０００６】
この発明は、上記のような課題を解決するためになされたものであり、この発明の１つの目的は、凹凸のある設置面に対しての設置性や水密性を向上させて、浸水を効果的に防ぐことが可能なウォーターフェンスを提供することである。
【課題を解決するための手段】
【０００７】
この発明の一の局面によるウォーターフェンスは、浸水を防止するための堰を形成するウォーターフェンス本体部と、ウォーターフェンス本体部の底面に配置され、ウォーターフェンス本体部の設置面への設置性を向上させる設置力増強部材とを備え、ウォーターフェンス本体部は、底面と設置面との間の水を吸い取る吸水装置を取り付けるための吸水装置取付部を含み、ウォーターフェンス本体部の設置時の自重と、吸水装置が吸水することとによって、設置力増強部材は、弾性圧縮変形するとともに、外部の水を所定量透過させることにより、ウォーターフェンス本体部の設置面内の圧力を低圧安定させるように構成されている。
【０００８】
この発明の一の局面によるウォーターフェンスでは、上述のように、ウォーターフェンス本体部の設置時の自重と、吸水装置が吸水することとによって、設置力増強部材が、弾性圧縮変形するとともに、外部の水を所定量透過させることにより、ウォーターフェンス本体部の設置面内の圧力を低圧安定させるように構成する。これにより、外部から設置面とウォーターフェンス本体部の底面との間に侵入する水を適量に抑制しつつ吸水装置の自吸水を確保することができるので、吸水装置を駆動させることにより、設置力増強部材が適量の浸水を通過させることができる。これにより、ウォーターフェンス本体部の底面と設置面との間に適量の浸水を導水することができるので、その浸水を吸水装置により自吸継続しながら設置面への密着力を保持することができる。その結果、凹凸のある設置面に対しての設置性や水密性を向上させて、浸水を効果的に防ぐことができる。また、外部から所定量の水を透過させるため、吸水装置が空運転するのを抑制することができる。
【０００９】
上記一の局面によるウォーターフェンスにおいて、好ましくは、設置力増強部材は、設置面側に配置された第１設置力増強部材と、第１設置力増強部材より硬い材料により形成され、ウォーターフェンス本体部側に配置された第２設置力増強部材とが積層状に構成されている。このように構成すれば、第１設置力増強部材を、点字ブロックなどの設置面の凹凸に沿うように変形させることができるので、ウォーターフェンスの設置性および水密性をより向上させることができる。また、第１設置力増強部材より硬い第２設置力増強部材を設けることにより、点字ブロックなどの設置面の凸部がウォーターフェンス本体部に直接当たることに起因してウォーターフェンス本体部が傾いて設置されるのを抑制することができる。これにより、吸水口部分が吸水面から離脱して空気中に配置されるのを抑制することができるので、吸水装置が空運転するのを効果的に抑制することができる。
【００１０】
上記一の局面によるウォーターフェンスにおいて、好ましくは、吸水装置をポンプとした場合には、設置力増強部材は、ウォーターフェンス本体部の自重と、ポンプが吸水することにより生じる負圧とにより弾性圧縮変形されることで水の透過率が所定の値となることにより、ウォーターフェンス本体部の底面と設置面との間に外部からの水を所定量透過させてポンプの自吸水を確保するように構成されている。このように構成すれば、設置力増強部材を、ウォーターフェンス本体部の自重とポンプが吸水することにより生じる負圧とにより弾性圧縮変形させて、水の透過率が所定の値となるように抑制することができる。これにより、設置力増強部材を透過する水の量をポンプの呼び水として適度な水量としながら、設置力増強部材を透過した水をポンプにより排水することができる。
【００１１】
上記一の局面によるウォーターフェンスにおいて、好ましくは、ウォーターフェンス本体部は、複数に分割可能に構成されている。このように構成すれば、ウォーターフェンス本体部を分割して保管することができるので、保管場所の省スペース化を図ることができる。
【００１２】
この場合、好ましくは、ウォーターフェンス本体部は、分割可能な第１本体部および第２本体部をさらに含み、第１本体部の底面部には、凸状または凹状の第１嵌合部が設けられ、第２本体部の底面部には、第１本体部の第１嵌合部が嵌合する第２嵌合部が設けられている。このように構成すれば、第１本体部および第２本体部を組み合わせてウォーターフェンス本体部を組み立てる際に、端部を互いに当接させるとともに、第１嵌合部および第２嵌合部を嵌合させることができるので、底面部の高さを揃えて組み立てることができるとともに、第１本体部および第２本体部がずれることがない。これにより、組み立てたウォーターフェンス本体部の底面に設置力増強部材を容易に取り付けることができる。また、組み立て時に、第１本体部および第２本体部の向きを間違えるのを防止するとともに、精度よく位置決めを行うことができる。
【００１３】
上記一の局面によるウォーターフェンスにおいて、好ましくは、ウォーターフェンス本体部は、重り部材を取り付け可能な重り取付部をさらに含む。このように構成すれば、重り部材をウォーターフェンス本体部に容易に取り付けることができるので、ウォーターフェンス本体部に加わる荷重を容易に増加させることができる。その結果、上記設置力増強部材の弾性圧縮変形される効果に加えて、ウォーターフェンスが水により流されるのを抑制することができる。
【００１４】
上記一の局面によるウォーターフェンスにおいて、好ましくは、設置力増強部材は、半連続気泡構造を有しており、圧縮変形されることにより水の透過率が変化するように構成されている。このように構成すれば、設置力増強部材が圧縮変形されることにより、水の透過率を抑制することができるので、設置力増強部材を透過する水の量を吸水装置の呼び水として適度な水量となるように容易に抑制することができる。なお、半連続気泡構造とは、独立した気泡（連続していない気泡）と連続した気泡とを有する構造である。
【００１５】
上記一の局面によるウォーターフェンスにおいて、好ましくは、ウォーターフェンス本体部を覆うシートをさらに備え、シートをウォーターフェンス本体部を覆うように設置することにより、ウォーターフェンス本体部の背面に回りこむ水をせき止めながら、吸水装置により排水を行うことが可能に構成されている。このように構成すれば、ウォーターフェンス本体部を水が回りこんで浸水するのを抑制することができるので、浸水をより効果的に防ぐことができる。
【００１６】
上記一の局面によるウォーターフェンスにおいて、好ましくは、ウォーターフェンス本体部を覆うシートをさらに備え、シートをウォーターフェンス本体部の背面側を高く覆うように設置することにより、ウォーターフェンス本体部の背面に回りこむ水をせき止めながら、吸水装置により排水を行うことが可能に構成されている。このように構成すれば、ウォーターフェンス本体部を越える水位の水でもシートにより浸水を抑制することができる。また、急な増水に対してもウォーターフェンス本体部の背面に回りこむ水をせき止めながら、吸水装置により排水を行うことができるので、浸水を効果的に防ぐことができる。
【００１７】
上記一の局面によるウォーターフェンスにおいて、好ましくは、ウォーターフェンス本体部は、箱型形状に形成されており、箱型形状の長手方向と直交する方向に延びて箱型形状の内部を仕切る仕切り部をさらに含み、仕切り部において切断可能に構成されている。このように構成すれば、ウォーターフェンス本体部を切断することにより、ウォーターフェンスの長さを調節することができるので、ウォーターフェンスの形状を設置場所により適した形状にすることができる。
【００１８】
上記一の局面によるウォーターフェンスにおいて、好ましくは、ウォーターフェンス本体部の底面には吸水装置取付部に接続された吸水口部が設けられており、吸水口部は、周方向から吸水できるように端面部が凹凸形状を有するように形成されている。このように構成すれば、吸水口部が地面に接したとしても凹凸形状の端面部の周方向から吸水することができる。これにより、設置面とウォーターフェンス本体部の底面との間の水を確実に吸水することができる。
【発明の効果】
【００１９】
本発明によれば、上述のように、凹凸のある設置面に対しての設置性や水密性を向上させて、浸水を効果的に防ぐことができる。
【図面の簡単な説明】
【００２０】
【図１】本発明の第１実施形態によるウォーターフェンスを上方から見た斜視図である。
【図２】本発明の第１実施形態によるウォーターフェンスを下方から見た斜視図である。
【図３】本発明の第１実施形態によるウォーターフェンス本体部を下方から見た斜視図である。
【図４】本発明の第１実施形態によるウォーターフェンスの分解斜視図である。
【図５】本発明の第１実施形態によるウォーターフェンスの第１部材を下方から見た斜視図である。
【図６】本発明の第１実施形態によるウォーターフェンスの第２部材を下方から見た斜視図である。
【図７】本発明の第１実施形態によるウォーターフェンスの第１部材の断面図である。
【図８】本発明の第１実施形態によるウォーターフェンスの設置力増強部材の特性を示した表である。
【図９】本発明の第１実施形態によるウォーターフェンスの第１設置力増強部材の特性を示した表である。
【図１０】本発明の第１実施形態によるウォーターフェンスにシートを設置した第１使用例を示した斜視図である。
【図１１】図１０の１１０−１１０線に沿った断面図である。
【図１２】本発明の第１実施形態によるウォーターフェンスにシートを設置した第２使用例を示した斜視図である。
【図１３】本発明の第１実施形態によるウォーターフェンスにより河川をせき止めた状態を示した断面図である。
【図１４】本発明の第２実施形態によるウォーターフェンスを上方から見た斜視図である。
【図１５】本発明の第２実施形態によるウォーターフェンスを下方から見た斜視図である。
【図１６】本発明の第３実施形態によるウォーターフェンスを示した斜視図である。
【図１７】本発明の第３実施形態によるウォーターフェンスを設置した状態を示した平面図である。
【図１８】本発明の第１実施形態の変形例によるウォーターフェンスの第２部材を上方から見た斜視図である。
【図１９】本発明の第１実施形態の変形例によるウォーターフェンスの第２部材を下方から見た斜視図である。
【図２０】本発明の第１実施形態の変形例によるウォーターフェンスの第２部材を切断した状態を示した斜視図である。
【図２１】本発明の第１実施形態の変形例によるウォーターフェンスを上方から見た斜視図である。
【図２２】本発明の第１実施形態の変形例によるウォーターフェンスを示した平面図である。
【発明を実施するための形態】
【００２１】
以下、本発明の実施形態を図面に基づいて説明する。
【００２２】
［第１実施形態］
（ウォーターフェンスの構成）
図１〜図１３を参照して、本発明の第１実施形態について説明する。第１実施形態によるウォーターフェンス１００は、建物への浸水を防いだり、工事現場などにおいて水を長時間せき止めたり、流れを有する河川などをせき止めたりするために用いられる。ウォーターフェンス１００は、図１および図２に示すように、ウォーターフェンス本体部１と、設置力増強部材２とを備えている。また、ウォーターフェンス本体部１には、自吸機能を有した自吸ポンプ（以下「ポンプ」と称す）３が接続されている。また、ポンプ３は、急な増水に対しても信頼性の高い水没使用が可能な防水構造を有するポンプとすることが望ましい。また、ウォーターフェンス本体部１には、重りとしてペットボトル４が配置されている。なお、ポンプ３は、特許請求の範囲の「吸水装置」および「ポンプ」の一例であり、ペットボトル４は、特許請求の範囲の「重り部材」の一例である。
【００２３】
ウォーターフェンス本体部１は、第１部材１１と、第２部材１２と、連結部材１３とを含んでいる。第１部材１１は、吸水装置取付部１１１と、吸水口部１１２（図３参照）と、溝部１１３と、連結用係合部１１４（図４参照）と、嵌合部１１５（図５参照）とを有している。連結用係合部１１４の端部には、引掛部１１４ａが設けられている。第２部材１２は、重り取付部１２１（図１参照）と、溝部１２２（図３参照）と、連結用係合部１２３（図４参照）と、嵌合部１２４（図６参照）とを有している。連結用係合部１２３の端部には、引掛部１２３ａが設けられている。なお、第１部材１１および第２部材１２は、それぞれ、特許請求の範囲の「第１本体部」および「第２本体部」の一例である。また、嵌合部１１５および嵌合部１２４は、それぞれ、特許請求の範囲の「第１嵌合部」および「第２嵌合部」の一例である。
【００２４】
設置力増強部材２は、図２および図４に示すように、第１設置力増強部材２１と、第２設置力増強部材２２とを含んでいる。
【００２５】
ウォーターフェンス本体部１は、浸水を防止するための堰を形成している。具体的には、ウォーターフェンス本体部１は、図１に示すように、第１部材１１のＸ方向の両端に、それぞれ、第２部材１２が連結されている。つまり、ウォーターフェンス本体部１は、複数に分割可能に構成されている。第１部材１１と第２部材１２とは、ゴム製の連結部材１３により互いに連結されている。詳しくは、図４に示すように、第１部材１１の連結用係合部１１４と、第２部材１２の連結用係合部１２３とが隣接して配置された状態で、連結部材１３が、連結用係合部１１４および連結用係合部１２３の両方に係合している。また、連結部材１３の両端部は、それぞれ、連結用係合部１１４の引掛部１１４ａおよび連結用係合部１２３の引掛部１２３ａの両方に引掛けられている。これにより、連結部材１３が外れるのを抑制することが可能である。また、第１部材１１と第２部材１２との接合をより強固にすることが可能である。連結部材１３は、第１部材１１および第２部材１２の側面（Ｙ１方向側およびＹ２方向側の側面）と、上面（Ｚ１方向側の面）とに跨って係合するように構成されている。
【００２６】
第１部材１１は、水を透過させない素材により形成されている。第１部材１１は、たとえば、ゴムや樹脂或いは金属などにより形成されている。第１部材１１の吸水装置取付部１１１には、図１に示すように、ポンプ３が連結されるように構成されている。吸水装置取付部１１１は、ウォーターフェンス本体部１の底面１ａ側（Ｚ２方向側）に設けられた吸水口部１１２（図３参照）と連通している。つまり、ウォーターフェンス本体部１の底面１ａと設置面との間の水が、ポンプ３により吸水口部１１２および吸水装置取付部１１１を介して吸水される。また、吸水装置取付部１１１に、異物除去用のフィルターを設けてもよい。これにより、ポンプ３によって吸い込み、排出される水からゴミなどの異物を除去することができるので、緊急時の水として活用することも可能である。なお、フィルターは吸込みから排出までの間に設けられれば良いので、ポンプ３の吸水用ホースなどに設けてもよい。
【００２７】
図３に示すように、第１部材１１の下面側（Ｚ２方向側）には、溝部１１３が設けられている。溝部１１３には、設置力増強部材２が嵌り込むように配置される。また、溝部１１３は、吸水口部１１２をＹ方向に挟み込むように、１対設けられている。また、溝部１１３は、第１部材１１に連結される第２部材１２の溝部１２２とつながるように形成されている。
【００２８】
図５に示すように、第１部材１１の底面部（Ｚ２方向側部）には、第２部材１２側に凸状に突出する嵌合部１１５が設けられている。嵌合部１１５は、第２部材１２の嵌合部１２４に嵌合するように構成されている。また、嵌合部１１５は、平面視において（Ｚ方向から見て）、第２部材１２とオーバーラップするように配置されている。つまり、嵌合部１１５は、第１部材１１および第２部材１２を底面を上にして組立てた場合に、第２部材１２に覆いかぶさるように、嵌合部１２４に嵌合する。
【００２９】
図１に示すように、第２部材１２は、直方体の箱型形状を有している。また、第２部材１２は、Ｘ方向に延びるように形成されている。また、第２部材１２は、水を透過させない素材により形成されている。第２部材１２は、たとえば、ゴムや樹脂或いは金属などにより形成されている。第２部材１２の重り取付部１２１には、重りとしてのペットボトル４が取り付けられるように構成されている。第２部材１２の重り取付部１２１にペットボトル４が取り付けられることによりウォーターフェンス１００に加わる荷重を増すことが可能なように構成されている。なお、重り取付部１２１に、水、石、砂、土などを入れて重りとしてもよい。
【００３０】
図３に示すように、第２部材１２の下面側（Ｚ２方向側）には、溝部１２２が設けられている。溝部１２２には、設置力増強部材２が嵌り込むように配置される。また、溝部１２２は、Ｕ字形状に形成されている。また、溝部１２２は、第２部材１２に連結される第１部材１１の溝部１１３とつながるように形成されている。つまり、第１部材１１の溝部１１３と、第２部材１２の溝部１２２とが連結されて、長方形のロ字形状の溝部が形成される。
【００３１】
図６に示すように、第２部材１２の底面部（Ｚ２方向側部）には、第１部材１１の嵌合部１１５が嵌合する嵌合部１２４が設けられている。具体的には、嵌合部１２４は、凹状に形成されており、凸状の嵌合部１１５が嵌合するように構成されている。嵌合部１１５および嵌合部１２４が嵌合することにより、第１部材および第２部材を組み立てる際に、第１部材および第２部材がＹおよびＺ方向にずれることを抑制することができるとともに、第１部材と第２部材の向きを間違えることなく位置決めが容易となるので、組み立て作業を容易に行うことが可能である。
【００３２】
ここで、第１実施形態では、図２に示すように、設置力増強部材２は、ウォーターフェンス本体部１の底面１ａに配置され、ウォーターフェンス本体部１の設置面への設置性を向上させるように構成されている。つまり、ウォーターフェンス本体部１の設置時の自重と、ポンプ３が吸水することとによって、設置力増強部材２は、弾性圧縮変形するとともに、外部の水を所定量透過させることにより、ウォーターフェンス本体部１の設置面内の圧力を低圧安定させるように構成されている。
【００３３】
具体的には、設置力増強部材２は、ウォーターフェンス本体部１の自重と、ポンプ３が吸水することにより生じる負圧とにより、水の透過率が所定の値となることにより、ウォーターフェンス本体部１の底面１ａと設置面との間に外部からの水を所定量透過させてポンプ３の自吸水を確保するように構成されている。
【００３４】
設置力増強部材２は、第１設置力増強部材２１と、第２設置力増強部材２２とが積層されている。第１設置力増強部材２１は、設置面側（Ｚ２方向側）に配置されている。第２設置力増強部材２２は、ウォーターフェンス本体部１側に配置されている。第１設置力増強部材２１および第２設置力増強部材２２は、接着層（接着剤や接着テープなど）を介して貼り合わされている。
【００３５】
第１設置力増強部材２１は、半連続気泡構造を有しており、圧縮変形されることにより水の透過率が変化するように構成されている。第１設置力増強部材２１は、たとえば、半連続気泡構造の気孔率５０％〜６０％程度のやわらかいスポンジにより形成されている。また、第１設置力増強部材２１は、半連続気泡構造のスポンジが圧縮されることによりスポンジの孔が小さくなり、水の透過率が変わるように構成されている。ポンプ３が駆動された場合、半連続気泡構造のスポンジは５０〜８０％程度圧縮されることが望ましい。
【００３６】
第１設置力増強部材２１は、たとえば、３０〜４０ｍｍ程度の厚みに形成されている。また、第１設置力増強部材２１は、ウォーターフェンス本体部１の自重と、重り取付部１２１に取り付けられたペットボトル４の重さと、ポンプ３の吸引力によって生じる負圧とにより圧縮されるように構成されている。また、ポンプ３は空気を混じって吸うと空運転となってしまうので、第１設置力増強部材２１を透過させる水はポンプ３を空運転させない水量となるように構成されている。
【００３７】
第２設置力増強部材２２は、第１設置力増強部材２１よりも硬い材料により形成されている。第２設置力増強部材２２は、たとえば、硬質のスポンジ材やゴム材により形成されている。第２設置力増強部材２２は、ウォーターフェンス本体部１の自重やポンプ３の吸引力による負圧によって圧縮されない程度の硬さを有する。また、第２設置力増強部材２２は、ウォーターフェンス本体部１の底面１ａに、ウォーターフェンス本体部１から、たとえば５ｍｍ程度出るように取り付けられている。たとえば、ウォーターフェンス本体部１の底面１ａの溝部１１３および１２２の深さが２０ｍｍの場合、第２設置力増強部材２２の厚さは２５ｍｍに形成される。また、第２設置力増強部材２２は、は、ウォーターフェンス本体部１の底面１ａの溝部１１３および１２２の幅より若干大きい幅を有するように形成されているので、第２設置力増強部材２２は、溝部１１３および１２２に圧入されることによりウォーターフェンス本体部１の底面１ａに取り付けられるように構成されている。これにより、設置力増強部材２が経年劣化などにより交換が必要となった場合でも容易に取替えることが可能である。また、第２設置力増強部材２２が、ウォーターフェンス本体部１から、たとえば５ｍｍ程度出るように取り付けられた場合、吸水口部１１２がウォーターフェンス本体部１から４ｍｍ程度まで出るように構成すれば、吸水口部１１２が地面に接して吸水できなくなるということが起こらないように構成することが可能である。
【００３８】
また、図７に示すように吸水口部１１２にスリットや突起やバースクリーン等を設けるように端面部を凹凸状に構成すれば、吸水口部１１２端部の周方向から吸水することが可能になるので、吸水口部１１２が地面に接したとしてもスリットや、突起やバースクリーンの隙間から吸水することが可能である。つまり、第２設置力増強部材２２がウォーターフェンス本体部１から、Ｄ（たとえば５ｍｍ程度）出るように取り付けられた場合、吸水口部１１２も同様にウォーターフェンス本体部１からＤ（５ｍｍ程度）出る長さにまで構成することが可能である。また、バースクリーンの隙間から吸水することにより、異物の混入を抑制することができるので、ポンプ３に異物が吸い込まれるのを抑制することが可能である。
【００３９】
ポンプ３は、ウォーターフェンス本体部１の底面１ａと設置面との間の水を吸い取るように構成されている。また、ポンプ３は、水深が浅い水を吸水可能に構成されている。よって、ポンプ３は、設置面とウォーターフェンス本体部１の底面１ａとの間に浸水した少量の水を効果的に排水することができる。
【００４０】
図８を参照して、設置力増強部材２（第１設置力増強部材２１および第２設置力増強部材２２）の特性の一例について説明する。
【００４１】
図８に示すように、第１設置力増強部材２１は、たとえば、見掛け密度が１３０ｋｇ／ｍ３であり、引張強さが１００ｋＰａであり、伸びが５５０％である。また、第１設置力増強部材２１は、圧縮硬さが、圧縮率が２５％の場合、３．９ｋＰａであり、圧縮率が５０％の場合、６．０ｋＰａである。第２設置力増強部材２２は、見掛け密度が１１０ｋｇ／ｍ３であり、引張強さが１４８０ｋＰａであり、伸びが１２０％である。また、第２設置力増強部材２２は、たとえば、圧縮硬さが、圧縮率が２５％の場合、２７５ｋＰａであり、圧縮率が５０％の場合、４００ｋＰａである。つまり、第１設置力増強部材２１よりも第２設置力増強部材２２の方が硬い材料により形成されている。
【００４２】
図９を参照して、第１設置力増強部材２１の特性（水透過）の一例について説明する。
【００４３】
図９に示すように、水透過について、第１設置力増強部材２１は、圧縮率が６０％の場合、水深１００ｍｍの水頭圧（１００ｍｍＨ２Ｏ＝０．０１ｋｇｆ／ｃｍ２≒０．９８ｋＰａ）に対して、１０分を超えて３０分以内に水漏れがあった。また、第１設置力増強部材２１は、圧縮率が７０％、８０％および９０％の場合、水深１００ｍｍの水頭圧（１００ｍｍＨ２Ｏ＝０．０１ｋｇｆ／ｃｍ２≒０．９８ｋＰａ）に対して、３０分間水漏れしなかった。なお、水透過について、１０分を超えて３０分以内に水漏れがあった場合、「△」と示し、３０分間水漏れしなかった場合、「○」と示している。
【００４４】
第１設置力増強部材２１に用いる気孔率５０％〜６０％程度の半連続気泡構造のやわらかいスポンジは、図９に示す一例のように、圧縮率に応じた透過率となる。また、第１設置力増強部材２１は、５０％以上８０％以下の圧縮率になるように圧縮抑制することにより、半連続気泡構造のスポンジを透過する水量をポンプ３の呼び水として適度な透過水量に抑えることが可能である。また、第１設置力増強部材２１（スポンジ）を透過した水をポンプ３で排水するのでウォーターフェンス本体部１を越えて浸水させないようにすることが可能である。つまり、ポンプ３を駆動させた場合に、第１設置力増強部材２１の圧縮率が５０以上８０以下になることが好ましい。
【００４５】
（シートを設置した第１使用例）
図１０および図１１を参照して、ウォーターフェンス本体部１をシート５により覆った状態の第１使用例について説明する。
【００４６】
図１０に示すように、ウォーターフェンス１００は、シート５を備える。シート５は、ウォーターフェンス本体部１を覆うように配置されている。また、シート５は、ウォーターフェンス本体部１の背面側のたとえば、柱５０や壁或いは扉（図示せず）などに取り付けられている。シート５は、水を透過させない素材により形成されている。たとえば、シート５は、ポリ塩化ビニルにより形成されている。また、シート５は、たとえば、約０．１ｍｍの厚みを有する。
【００４７】
シート５をウォーターフェンス本体部１を覆うように設置することにより、ウォーターフェンス本体部１の背面（Ｙ１方向側）に回りこむ水をせき止めながら、ポンプ３により排水を行うことが可能に構成されている。また、シート５をウォーターフェンス本体部１の背面側（Ｙ１方向側）を高く覆うように設置することにより、ウォーターフェンス本体部１の背面に回りこむ水をせき止めながら、ポンプ３により排水を行うことが可能に構成されている。
【００４８】
シート５は、図１０および図１１に示すように、ウォーターフェンス本体部１の柱５０側（建物側）に水溜まり部５１が形成されるように配置される。具体的には、シート５をウォーターフェンス本体部１に沿うように覆い、柱５０側の設置面と扉を含めた建物側面に沿って配置するとともに、柱５０や壁或いは扉（図示せず）などに沿って上下方向（Ｚ方向）に延びるように配置する。このようにシート５を配置することにより、ウォーターフェンス本体部１を越える急な増水の水位の水が押し寄せたとしても、ウォーターフェンス本体部１を越えた水を水溜まり部５１で受けることができるので、扉を含めた建物内への浸水をより一層効果的にせき止めることができる。そして、水溜まり部５１に溜まった水はウォーターフェンス本体部１に接続されたポンプ３により排水させることが可能である。上述の如く、水溜まり部５１に溜まった水により、シート５を設置面と扉を含めた建物側面に対して密着させることが可能である。つまり、シート５は設置面と扉を含めた建物側面に対するフィッティング性に優れるので、凹凸のある地面や扉を含めた建物側面に対しても確実に密着させることが可能である。これにより、シート５を越えて浸水することや、ウォーターフェンス１００の背面への水の回り込みをより一層効果的に防ぐことが可能である。
【００４９】
（シートを設置した第２使用例）
図１２を参照して、ウォーターフェンス本体部１をシート５により覆った状態の第２使用例について説明する。
【００５０】
図１２に示す第２使用例では、ウォーターフェンス本体部１の背面側（Ｙ１方向側）の水溜り部５２ａと、側面側（Ｘ１方向側およびＸ２方向側）の水溜り部５２ｂとを含む水溜り部５２が形成されるようにシート５を配置する。これにより、ウォーターフェンス本体部１の側面側（Ｘ１方向側およびＸ２方向側）から背面側（Ｙ１方向側）までの水の回り込みをより効果的に抑制することが可能である。なお、その他の構成は、第１使用例と同様である。
【００５１】
（河川に設置した使用例）
図１３を参照して、ウォーターフェンス１００を河川に設置した状態の使用例について説明する。
【００５２】
図１３に示すように、ウォーターフェンス１００は、河川の流れをせき止めるようにして設置されている。ウォーターフェンス本体部１は、設置される河川の幅に合わせて設置されている。また、幅方向の端に土嚢などを設置して幅方向の長さを調整したり、ウォーターフェンスの側面側の止水性をより向上させてもよい。また、ポンプ３は、ウォーターフェンス本体部１に対して、堰き止められる水の上流側に配置にされており、堰き止められる水の上流側内の水によってポンプ３を効果的に放熱することができるので、長時間の運転による温度上昇によってポンプ３の運転が停止することがなく、継続して運転させることが可能となる。よって、河川などの水を堰き止めて工事などの作業を行う場合でも、長時間水を堰き止めて十分な作業時間を確保し、安全な作業帯域を作業者に提供することが可能となる。
【００５３】
（第１実施形態の効果）
第１実施形態では、以下のような効果を得ることができる。
【００５４】
第１実施形態では、上記のように、ウォーターフェンス本体部１の設置時の自重と、ポンプ３が吸水することにより生じる負圧の吸引作用とによって、設置力増強部材２が、弾性圧縮変形するとともに、外部の水を所定量透過させる抑制作用により、ウォーターフェンス本体部１の設置面内の圧力を低圧安定させるように構成する。これにより、外部から設置面とウォーターフェンス本体部１の底面１ａとの間に侵入する水を適量に抑制しつつポンプ３の自吸水を確保することができるので、ポンプ３を駆動させることにより、設置力増強部材２が適量の浸水を通過させることができる。これにより、ウォーターフェンス本体部１の底面１ａと設置面との間に適量の浸水を導水することができるので、その浸水をポンプ３により自吸継続しながら設置面への密着力を保持することができる。その結果、凹凸のある設置面に対しての設置性や水密性を向上させて、浸水を効果的に防ぐことができる。また、外部から所定量の水を透過させるため、ポンプ３が空運転するのを抑制することができる。
【００５５】
また、第１実施形態では、上記のように、設置力増強部材２は、設置面側に配置された第１設置力増強部材２１と、第１設置力増強部材２１より硬い材料により形成され、ウォーターフェンス本体部１側に配置された第２設置力増強部材２２とを積層状に構成する。これにより、第１設置力増強部材２１を、点字ブロックなどの設置面の凹凸に沿うように変形させることができるので、ウォーターフェンス１００の設置性および水密性をより向上させることができる。また、第１設置力増強部材２１より硬い第２設置力増強部材２２を設けることにより、点字ブロックなどの設置面の凸部がウォーターフェンス本体部１に直接当たることに起因してウォーターフェンス本体部１が傾いて設置されるのを抑制することができる。これにより、吸水口部１１２が吸水面から離脱して空気中に配置されるのを抑制することができるので、ポンプ３が空運転するのを効果的に抑制することができる。
【００５６】
また、第１実施形態では、上記のように、設置力増強部材２を、ウォーターフェンス本体部１の自重と、ポンプ３が吸水することにより生じる負圧の吸引作用とにより、水の透過率が所定の値となる抑制作用により、ウォーターフェンス本体部１の底面１ａと設置面との間に外部からの水を所定量透過させてポンプ３の自吸水を確保するように構成する。これにより、設置力増強部材２を、ウォーターフェンス本体部１の自重と、ポンプ３が吸水することにより生じる負圧の吸引作用とにより弾性圧縮変形させて、水の透過率が所定の値となるように抑制することができる。その結果、設置力増強部材２を透過する水の量をポンプ３の呼び水として適度な水量としながら、設置力増強部材２を透過した水をポンプ３により排水することができる。
【００５７】
また、第１実施形態では、上記のように、ウォーターフェンス本体部１を、複数に分割可能に構成する。これにより、ウォーターフェンス本体部１を分割して保管することができるので、保管場所の省スペース化を図ることができる。
【００５８】
また、第１実施形態では、第１部材１１の底面部に、第２部材１２側に突出する嵌合部１１５を設け、第２部材１２の底面部に、第１部材１１の嵌合部１１５が嵌合する嵌合部１２４を設ける。これにより、第１部材１１および第２部材１２を組み合わせてウォーターフェンス本体部１を組み立てる際に、Ｘ方向の端部を互いに当接させるとともに、嵌合部１１５および嵌合部１２４を嵌合させることができるので、底面部の高さを揃えて組み立てることができるとともに、第１部材１１および第２部材１２がＹ方向およびＺ方向にずれることを防ぐことができる。その結果、組み立てたウォーターフェンス本体部１の底面に設置力増強部材２を容易に取り付けることができる。また、組み立て時に、第１部材１１および第２部材１２の向きを間違えるのを防止するとともに、精度よく位置決めを行うことができる。
【００５９】
また、第１実施形態では、上記のように、ウォーターフェンス本体部１に、ペットボトル４を取り付け可能な重り取付部１２１を設けるこれにより、ペットボトル４をウォーターフェンス本体部１に容易に取り付けることができるので、ウォーターフェンス本体部１に加わる荷重を容易に増加させることができる。その結果、上記設置力増強部材２の弾性圧縮変形がより一層効果的に加えられると共に、ウォーターフェンス１００が水により流されるのを抑制することができる。
【００６０】
また、第１実施形態では、上記のように、設置力増強部材２は、半連続気泡構造を有しており、圧縮変形されることにより水の透過率が変化するように構成する。これにより、設置力増強部材２が圧縮変形されることにより、水の透過率を抑制することができるので、設置力増強部材２を透過する水の量をポンプ３の呼び水として適度な水量となるように容易に抑制することができる。
【００６１】
また、第１実施形態では、上記のように、シート５をウォーターフェンス本体部１を覆うように設置することにより、ウォーターフェンス本体部１の背面に回りこむ水をせき止めながら、ポンプ３により排水を行うことが可能に構成する。これにより、ウォーターフェンス本体部１を水が回りこんで浸水するのを抑制することができるので、浸水をより効果的に防ぐことができる。
【００６２】
また、第１実施形態では、上記のように、シート５をウォーターフェンス本体部１の背面側を高く覆うように設置することにより、ウォーターフェンス本体部１を越える急な増水に対しても、ウォーターフェンス本体部１の背面に回りこむ水をせき止めながら、ポンプ３により排水を行うことが可能に構成する。これにより、ウォーターフェンス本体部１を越える水位の水でもシート５により浸水を抑制することができる。また、急な増水に対してもウォーターフェンス本体部１の背面に回りこむ水をせき止めながら、ポンプ３により排水を行うことができるので、浸水を効果的に防ぐことができる。
【００６３】
また、第１実施形態では、上記のように、吸水口部１１２を、周方向から吸水できるように端面部が凹凸形状を有するように形成する。これにより、吸水口部１１２が地面に接したとしても凹凸形状の端面部の周方向から吸水することができる。これにより、設置面とウォーターフェンス本体部１の底面１ａとの間の水を確実に吸水することができる。
【００６４】
［第２実施形態］
次に、図１４および図１５を参照して、本発明の第２実施形態について説明する。この第２実施形態では、ウォーターフェンス本体部１が箱状に形成されていた上記第１実施形態とは異なり、ウォーターフェンス本体部２１０がマット状に形成されている例について説明する。
【００６５】
図１４および図１５に示すように、第２実施形態のウォーターフェンス２００は、マット状に形成されている。ウォーターフェンス２００は、特に建物の入口に配置されて比較的低い水位の浸水を防いだりするために用いられる。ウォーターフェンス２００は、ウォーターフェンス本体部２１０と、設置力増強部材２２０とを備えている。また、ウォーターフェンス本体部２１０には、ポンプ３が接続されている。なお、ポンプ３は、特許請求の範囲の「吸水装置」および「ポンプ」の一例である。
【００６６】
ウォーターフェンス本体部２１０は、吸水装置取付部２１１（図１４参照）と、吸水口部２１２（図１５参照）とを含んでいる。設置力増強部材２２０は、第１設置力増強部材２２１と、第２設置力増強部材２２２とを含んでいる。
【００６７】
ウォーターフェンス本体部２１０は、水平面（ＸＹ平面）上に延びるマット状に形成されている。また、ウォーターフェンス本体部２１０は、水を透過させない素材により形成されている。ウォーターフェンス本体部２１０は、たとえば、ゴムや樹脂或いは金属や防水加工された繊維素材などにより形成されている。吸水装置取付部２１１は、ウォーターフェンス本体部２１０の底面２１０ａ側（Ｚ２方向側）に設けられた吸水口部２１２（図１５参照）と連通している。つまり、ウォーターフェンス本体部２１０の底面２１０ａと設置面との間の水が、ポンプ３により吸水口部２１２および吸水装置取付部２１１を介して吸水される。
【００６８】
また、吸水装置取付部２１１は、ウォーターフェンス本体部２１０の端部近傍に設けられている。これにより、マット状のウォーターフェンス本体部２１０の上を人が通る場合でも、吸水装置取付部２１１およびポンプ３に接続されるホースが邪魔になるのを抑制することができる。その結果、人がマット状のウォーターフェンス本体部２１０上を踏んで通ることが可能となる。
【００６９】
ウォーターフェンス本体部２１０の底面２１０ａには、溝部が設けられている。ウォーターフェンス本体部２１０の溝部には、設置力増強部材２２０が嵌り込むように配置される。
【００７０】
ここで、第２実施形態では、設置力増強部材２２０は、ウォーターフェンス本体部２１０の底面２１０ａに配置され、ウォーターフェンス本体部２１０の設置面への設置性を向上させるように構成されている。つまり、ウォーターフェンス本体部２１０の設置時の自重と、ポンプ３が吸水することにより生じる負圧の吸引作用とによって、設置力増強部材２２０は、弾性圧縮変形するとともに、外部の水を所定量透過させる抑制作用により、ウォーターフェンス本体部２１０の設置面内の圧力を低圧安定させるように構成されている。
【００７１】
設置力増強部材２２０は、第１設置力増強部材２２１と、第２設置力増強部材２２２とが積層されている。第１設置力増強部材２２１は、設置面側（Ｚ２方向側）に配置されている。第２設置力増強部材２２２は、ウォーターフェンス本体部２１０側に配置されている。第１設置力増強部材２２１および第２設置力増強部材２２２は、接着層（接着剤や接着テープなど）を介して貼り合わされている。
【００７２】
なお、第２実施形態のその他の構成は、上記第１実施形態と同様である。
【００７３】
（第２実施形態の効果）
第２実施形態では、以下のような効果を得ることができる。
【００７４】
第２実施形態では、上記第１実施形態と同様に、ウォーターフェンス本体部２１０の設置時の自重と、ポンプ３が吸水することによって生じる負圧の吸引作用とによって、設置力増強部材２２０が、弾性圧縮変形するとともに、外部の水を所定量透過させる抑制作用により、ウォーターフェンス本体部２１０の設置面内の圧力を低圧安定させるように構成する。これにより、外部から設置面とウォーターフェンス本体部２１０の底面２１０ａとの間に侵入する水を適量に抑制しつつポンプ３の自吸水を確保することができるので、ポンプ３を駆動させることにより、設置力増強部材２２０が適量の浸水を通過させることができる。これにより、ウォーターフェンス本体部２１０の底面２１０ａと設置面との間に適量の浸水を導水することができるので、その浸水をポンプ３により自吸継続しながら設置面への密着力を保持することができる。その結果、凹凸のある設置面に対しての設置性や水密性を向上させて、浸水を効果的に防ぐことができる。また、外部から所定量の水を透過させるため、ポンプ３が空運転するのを抑制することができる。
【００７５】
また、第２実施形態では、ウォーターフェンス本体部２１０をマット状に形成することにより、ウォーターフェンス２００の不使用時は、ウォーターフェンス本体部２１０を巻いてコンパクトにして収納することができる。また、浸水の恐れがない場合でも、ウォーターフェンス２００の設置を継続しても邪魔になることがないので、ウォーターフェンス２００を常設することにより、急に水が来た場合でも浸水を防ぐことができる。また、ウォーターフェンス本体部２１０の高さを小さくすることができるので、空間が限られる室内においても邪魔になることがなく使用することができる。
【００７６】
なお、第２実施形態のその他の効果は、上記第１実施形態と同様である。
【００７７】
［第３実施形態］
次に、図１６および図１７を参照して、本発明の第３実施形態について説明する。この第３実施形態では、ウォーターフェンス本体部１が直線状に形成されていた上記第１実施形態とは異なり、ウォーターフェンス本体部３１０が折り曲げ可能に構成されている例について説明する。
【００７８】
図１６および図１７に示すように、第３実施形態のウォーターフェンス３００は、折り曲げ可能に構成されている。また、ウォーターフェンス２００は、建物の入口に配置されて浸水を防いだりするために用いられる。また、ウォーターフェンス３００は、ウォーターフェンス本体部３１０と、設置力増強部材３２０とを備えている。ウォーターフェンス本体部３１０には、ポンプ３が接続されている。なお、ポンプ３は、特許請求の範囲の「吸水装置」および「ポンプ」の一例である。
【００７９】
ウォーターフェンス本体部３１０は、吸水装置取付部３１１を含んでいる。設置力増強部材３２０は、第１設置力増強部材３２１と、第２設置力増強部材３２２とを含んでいる。
【００８０】
ウォーターフェンス本体部３１０は、Ｚ方向の軸を中心に途中で折り曲げ可能に構成されている。また、ウォーターフェンス本体部３１０は、水を透過させない素材により形成されている。ウォーターフェンス本体部３１０は、たとえば、ゴムや樹脂或いは金属や防水加工された繊維素材により形成されている。吸水装置取付部３１１は、ウォーターフェンス本体部３１０の底面３１０ａ側（Ｚ２方向側）に設けられた吸水口部と連通している。つまり、ウォーターフェンス本体部３１０の底面３１０ａと設置面との間の水が、ポンプ３により吸水装置取付部３１１を介して吸水される。吸水装置取付部３１１は、複数設けられている。これにより、折り曲げられた各部分において、底面３１０ａと設置面との間の水を吸水することが可能である。
【００８１】
図１７に示すように、ウォーターフェンス３００は、ウォーターフェンス本体部３１０が折り曲げられて建物入口を外側から囲むように配置される。また、ウォーターフェンス本体部３１０よりも高さが大きい板３３０が、ウォーターフェンス本体部３１０を外側から囲むように配置される。
【００８２】
ウォーターフェンス本体部３１０の底面３１０ａには、溝部が設けられている。ウォーターフェンス本体部３１０の溝部には、設置力増強部材３２０が嵌り込むように配置される。
【００８３】
ここで、第３実施形態では、設置力増強部材３２０は、ウォーターフェンス本体部３１０の底面３１０ａに配置され、ウォーターフェンス本体部３１０の設置面への設置性を向上させるように構成されている。つまり、ウォーターフェンス本体部３１０の設置時の自重と、ポンプ３が吸水することによって生じる負圧の吸引作用とによって、設置力増強部材３２０は、弾性圧縮変形するとともに、外部の水を所定量透過させる抑制作用により、ウォーターフェンス本体部３１０の設置面内の圧力を低圧安定させるように構成されている。
【００８４】
設置力増強部材３２０は、第１設置力増強部材３２１と、第２設置力増強部材３２２とが積層されている。第１設置力増強部材３２１は、設置面側（Ｚ２方向側）に配置されている。第２設置力増強部材３２２は、ウォーターフェンス本体部３１０側に配置されている。第１設置力増強部材３２１および第２設置力増強部材３２２は、接着層（接着剤や接着テープなど）を介して貼り合わされている。
【００８５】
なお、第３実施形態のその他の構成は、上記第１実施形態と同様である。
【００８６】
（第３実施形態の効果）
第３実施形態では、以下のような効果を得ることができる。
【００８７】
第３実施形態では、上記第１実施形態と同様に、ウォーターフェンス本体部３１０の設置時の自重と、ポンプ３が吸水することによって生じる負圧の吸引作用とによって、設置力増強部材３２０が、弾性圧縮変形するとともに、外部の水を所定量透過させる抑制作用により、ウォーターフェンス本体部３１０の設置面内の圧力を低圧安定させるように構成する。これにより、外部から設置面とウォーターフェンス本体部３１０の底面３１０ａとの間に侵入する水を適量に抑制しつつポンプ３の自吸水を確保することができるので、ポンプ３を駆動させることにより、設置力増強部材３２０が適量の浸水を通過させることができる。これにより、ウォーターフェンス本体部３１０の底面３１０ａと設置面との間に適量の浸水を導水することができるので、その浸水をポンプ３により自吸継続しながら設置面への密着力を保持することができる。その結果、凹凸のある設置面に対しての設置性や水密性を向上させて、浸水を効果的に防ぐことができる。また、外部から所定量の水を透過させるため、ポンプ３が空運転するのを抑制することができる。
【００８８】
また、第３実施形態では、ウォーターフェンス本体部３１０を折り曲げ可能に構成することによって、扉を含めた建物の浸水防止対象幅（Ｘ方向）などの浸水防止対象の実態形態に即した形状の設置が容易に行えると共に、直線的設置と比べて設置吸引面積を大きく構成することで、より一層水の背面への回り込みを抑制することができるので、浸水をより効果的に防ぐことができる。
【００８９】
なお、第３実施形態のその他の効果は、上記第１実施形態と同様である。
【００９０】
（変形例）
なお、今回開示された実施形態は、すべての点で例示であって制限的なものではないと考えられるべきである。本発明の範囲は、上記した実施形態の説明ではなく特許請求の範囲によって示され、さらに特許請求の範囲と均等の意味および範囲内でのすべての変更（変形例）が含まれる。
【００９１】
たとえば、図１８〜図２１に示す変形例によるウォーターフェンス４００のように、第２部材１４（ウォーターフェンス本体部）に、箱型形状の長手方向と直交する方向（Ｙ方向）に延びて箱型形状の内部を仕切る仕切り部１４１を設けてもよい。この場合、第２部材１４（ウォーターフェンス本体部）を、仕切り部１４１において切断可能に構成してもよい。具体的には、図１８に示すように、仕切り部１４１は、第２部材１４の長手方向（Ｘ方向）の中間位置に配置されている。仕切り部１４１の外側には、連結部１２３が形成されている。また、図１９に示すように、仕切り部１４１に対応する底面部には、嵌合部１２４が形成されている。つまり、第２部材１４を、図１８および図１９に示す１４０−１４０線に沿って切断することにより、図２０に示すように、第２部材１４の略半分の長手方向（Ｘ方向）の長さを有する第２部材１４ａおよび１４ｂが生成される。図２１に示すように、第１部材１１と、第２部材１４と、第２部材１４ａとを組み合わせることにより、切断前の第２部材１４を用いた場合よりも長手方向（Ｘ方向）が短い状態のウォーターフェンス４００が組み立てられる。これにより、第２部材１４（ウォーターフェンス本体部）を切断することによって、ウォーターフェンス４００の長さを調節することができるので、ウォーターフェンス４００の形状を設置場所により適した形状にすることができる。
【００９２】
また、上記第１実施形態では、ウォーターフェンス本体部が直線的に形成されている構成の例を示したが、本発明はこれに限らない。本発明では、ウォーターフェンス本体部が折れ曲がるように形成されていてもよい。たとえば、図２２に示す変形例によるウォーターフェンス５００のように、直線状の第２部材１２と、折れ曲がる継手部分としての第１部材１１ａとを連結してウォーターフェンス本体部５０１を形成してもよい。
【００９３】
また、上記第１実施形態では、重り部材としてペットボトルを用いた例を示したが、本発明はこれに限らない。本発明では、ペットボトル以外の部材を重り部材として用いてもよい。たとえば、バーベルや石などを重り部材として用いてもよい。
【００９４】
また、上記第１〜第３実施形態では、設置力増強部材が、第１設置力増強部材および第２設置力増強部材の２層により形成されている例を示したが、本発明はこれに限らない。本発明では、設置力増強部材を１層により形成してもよいし、３層以上により形成してもよい。
【００９５】
また、上記第１〜第３実施形態では、吸水装置として自吸式のポンプを用いる例を示したが、本発明はこれに限らない。本発明では、自吸式に限らず、吸水機能を有するポンプであれば特に限定されない。また、真空ポンプや掃除機などの真空吸引方式の吸引装置を用いてもよい。
【００９６】
また、上記第１〜第３実施形態では、ウォーターフェンスのみにより浸水を防ぐ例を示したが、本発明はこれに限らない。本発明では、ウォーターフェンスに加えて、土嚢や水嚢を周辺に配置して、浸水を防いでもよい。これにより、押し寄せる水の量が多い場合でも、ウォーターフェンスの周囲に土嚢や水嚢を設置することによって、ウォーターフェンスの背面から回り込もうとする水をせき止めるとともに、回り込もうとする水をウォーターフェンスの側面側の設置力増強部材から吸引することができる。
【００９７】
また、上記第１実施形態では、ウォーターフェンス本体部の第１部材と第２部材とを連結部材により係合させて連結する構成の例を示したが、本発明はこれに限らない。本発明では、ウォーターフェンス本体部の第１部材と第２部材とをボルトにより締結して連結してもよい。
【００９８】
また、上記第１実施形態では、吸水装置取付部１１１を片側のみにポンプ３が連結されるようにＬ字状に構成されている構成の例を示したが、本発明はこれに限らない。本発明では、吸水装置取付部１１１をＴ字状に構成して、Ｙ１方向、Ｙ２方向のいずれからでもポンプを連結可能に構成してもよい。なお、Ｔ字状に構成した吸水装置取付部１１１のポンプを連結しない側はバルブ等で閉じておくことが望ましい。また、吸水装置取付部１１１をＴ字状に構成することで、２台のポンプを同時に連結可能に構成することが可能である。
【００９９】
また、上記第１実施形態では、ウォーターフェンス本体部の第１部材に突出する凸状の嵌合部を設け、第２部材に第１部材の突出する嵌合部が嵌合する凹状の嵌合部を設ける構成の例を示したが、本発明はこれに限らない。本発明では、第１部材および第２部材の両方に凸状の嵌合部と凹状の嵌合部とを半分ずつ設けてもよいし、第１部材に凹状の嵌合部を設けて、第２部材に凸状の嵌合部を設けてもよい。また、第１部材および第２部材に嵌合部を設けなくてもよい。
【０１００】
また、上記第１実施形態では、ウォーターフェンス本体部の第１部材および第２部材の底面に嵌合部を設ける構成の例を示したが、本発明はこれに限らない。本発明では、第１部材および第２部材の接合面の全周に嵌合部を設けてもよく、このように構成することで、第１部材および第２部材のＹ方向およびＺ方向のずれを防ぐだけではなく、Ｘ方向も含めたずれを防ぐことができるように構成することができる。
【符号の説明】
【０１０１】
１、２１０、３１０  ウォーターフェンス本体部
１ａ、２１０ａ、３１０ａ  底面
２、２２０、３２０  設置力増強部材
３  ポンプ（吸水装置）
４  ペットボトル（重り部材）
５  シート
１１  第１部材（第１本体部）
１２  第２部材（第２本体部）
２１、２２１、３２１  第１設置力増強部材
２２、２２２、３２２  第２設置力増強部材
１００、２００、３００  ウォーターフェンス
１１１、２１１、３１１  吸水装置取付部
１１２、２１２  吸水口部
１１５  嵌合部（第１嵌合部）
１２１  重り取付部
１２４  嵌合部（第２嵌合部）
１４１  仕切り部
【図１】
0006419032.tif 000002
【図２】
0006419032.tif 000003
【図３】
0006419032.tif 000004
【図４】
0006419032.tif 000005
【図５】
0006419032.tif 000006
【図６】
0006419032.tif 000007
【図７】
0006419032.tif 000008
【図８】
0006419032.tif 000009
【図９】
0006419032.tif 000010
【図１０】
0006419032.tif 000011
【図１１】
0006419032.tif 000012
【図１２】
0006419032.tif 000013
【図１３】
0006419032.tif 000014
【図１４】
0006419032.tif 000015
【図１５】
0006419032.tif 000016
【図１６】
0006419032.tif 000017
【図１７】
0006419032.tif 000018
【図１８】
0006419032.tif 000019
【図１９】
0006419032.tif 000020
【図２０】
0006419032.tif 000021
【図２１】
0006419032.tif 000022
【図２２】
0006419032.tif 000023